(57)【要約】【課題】封筒を要することなく、そのままの形態で、特定の宛先へ発送することを可能にする印刷物を提供する。【解決手段】印刷物の一例であるＤＭ（ダイレクトメール）１ａは、表紙１１と裏紙１３とを有している。裏紙１３は、見開き可能に、表紙１１に対して連なって構成されている。この表紙１１と裏紙１３は、封筒を構成するように、縁部（糊代１７ａ，１７ｂ）において互いに接着されている。したがって、ＤＭ１ａは、封筒を用いることなく、その形態のままで、郵送等に供することができるようになっている。また、ＤＭ１ａにはミシン目１５ａ，１５ｂが形成されているので、接着されている糊代を含む縁部は、当該ミシン目に沿って切り取ることができるようになっている。このような構成を有する印刷物によれば、封筒への収納作業が不要になるので、ダイレクトメールを送付する際における作業効率を改善することができる。【選択図】図１
2005066982.tif 000002
【特許請求の範囲】
【請求項１】
イラスト及び／又は文章が記載されている印刷物であって、
少なくとも、当該印刷物のオモテ表紙をなす表紙と、当該印刷物のウラ表紙をなす裏紙と、を含み、
前記表紙と前記裏紙とを重ね合わせた状態で、前記表紙の縁部が、所定の接着手段により、前記裏紙の縁部に接着されている
ことを特徴とする印刷物。
【請求項２】
イラスト及び／又は文章が記載されている見開き式の印刷物であって、
少なくとも、当該印刷物のオモテ表紙をなす表紙と、当該印刷物のウラ表紙をなす裏紙と、を含み、
前記裏紙が、見開き可能に、前記表紙に対して連なって構成されており、
前記表紙と前記裏紙とを重ね合わせた状態で、前記表紙の縁部が、所定の接着手段により、前記裏紙の縁部に接着されている
ことを特徴とする印刷物。
【請求項３】
イラスト及び／又は文章が記載されている見開き式の冊子状の印刷物であって、
当該印刷物のオモテ表紙をなす表紙と、
当該印刷物のウラ表紙をなす裏紙と、
当該表紙と当該裏紙との間に設けられ、前記イラスト及び／又は文章が記載された少なくとも１枚の中間紙と、を含み、
前記表紙、前記裏紙、及び前記中間紙は、見開き式の冊子状の印刷物を成すように、見開き可能に連なって構成されており、
前記中間紙を介して前記表紙と前記裏紙とを重ねた状態で、前記表紙の縁部が、所定の接着手段により、前記裏紙の縁部に接着されている
ことを特徴とする印刷物。
【請求項４】
前記表紙と前記裏紙が、イラスト及び／又は文章が記載された単体の紙から構成されており、
前記表紙と前記裏紙が、当該表紙と裏紙との境目を成す折り目を介して、連なって構成されている
ことを特徴とする請求項２又は３に記載の印刷物。
【請求項５】
前記表紙の縁部には、当該縁部に沿って、ミシン目が形成されており、
前記表紙の縁部に形成された前記ミシン目より外側の部分は、前記接着手段が付与される糊代を含んでおり、
前記裏紙の縁部には、当該縁部に沿って、ミシン目が形成されており、
前記裏紙の縁部に形成された前記ミシン目より外側の部分は、前記接着手段が付与される糊代を含んでおり、
前記裏紙に形成されたミシン目は、前記表紙を前記裏紙に重ねた状態において、前記表紙のミシン目が並ぶ線上にほぼ重なるようになっており、
前記ミシン目より外側の部分を当該ミシン目に沿って切り取ることによって、接着されている糊代を当該印刷物から取り去ることが可能であり、
当該糊代を取り去ることによって、当該印刷物に記載されたイラスト及び／又は文章のすべてを見ることが可能になっている
ことを特徴とする請求項１乃至４のいずれかに記載の印刷物。
【請求項６】
前記接着手段が、前記表紙の縁部を前記裏紙の縁部から損傷させることなく剥がすことを可能にする、比較的接着性の弱い接着剤から構成されている
ことを特徴とする請求項１乃至４のいずれかに記載の印刷物。
【請求項７】
前記印刷物が、書籍である
ことを特徴とする請求項１乃至６のいずれかに記載の印刷物。
【請求項８】
前記印刷物が、ダイレクトメールである
ことを特徴とする請求項１乃至６のいずれかに記載の印刷物。
【請求項９】
前記ダイレクトメールが、当該ダイレクトメールの発送直前に発送元側にて形成されている
ことを特徴とする請求項８に記載の印刷物。
【請求項１０】
前記印刷物に記載されたイラスト及び／又は文章が、特定の個人又は法人に関する情報を含んでおり、
当該情報が公にされた場合に当該個人又は法人の権利・利益を害するおそれがあるために、当該印刷物が、秘密性を要するものである
ことを特徴とする請求項１乃至６のいずれかに記載の印刷物。
【請求項１１】
前記印刷物の表紙は、封筒の表面側を兼ねて構成されており、
前記印刷物の裏紙は、封筒の裏面側を兼ねて構成されており、
前記印刷物の表紙と裏紙は、封筒を構成するように、互いに接着されており、
前記印刷物は、封筒を用いることなく、その形態のままで、郵送または民間の信書便事業者を利用した送付に供することができるように構成されている
ことを特徴とする請求項１乃至１０のいずれかに記載の印刷物。
【発明の詳細な説明】
【技術分野】
【０００１】
本発明は、イラストや文章等の種々の情報が記載されたダイレクトメールや書籍等の印刷物に関する。
【背景技術】
【０００２】
本発明は、以下に述べる第１の背景及び第２の背景に鑑みて提供される。
（第１の背景）
周知の如く、近時においては、宣伝や広告機能が大いにもてはやされて、顧客である一般エンドユーザーに対するデパート，スーパーマーケットや各小売り店舗からの宣伝や広告文は、日々その量を増している。
【０００３】
また、周知の如く、従来より、配達される一般的な新聞の中には、大量のチラシが折り込まれている。このようなチラシは、１枚１枚がバラバラに新聞等に折り込まれるために、散らばり易く、また、流通過程において損壊する等して美化が損なわれる場合が多い。
【０００４】
上述した事情に鑑み、商品等の宣伝・広告を主目的とする「ダイレクトメール（ＤＭ）」を用いて、所定の広告や宣伝等が記載された印刷物を、特定の顧客層等に向けて郵送する手段が利用されている。以下、図８および図９に基づいて、一般的なダイレクトメールの形態および利用態様について説明する。図８は、広告，宣伝等が記載された一般的なダイレクトメール（従来のダイレクトメール）を展開した状態で示す正面図である。図９は、図８に示すダイレクトメールを実際に郵送する際の態様を示す斜視図である。
【０００５】
一例として図８に示すダイレクトメール１００は、単体の紙（一枚紙）から構成されている。このダイレクトメール１００は、紙面上の所定位置に、各種の広告・宣伝情報を記載するための広告エリア（広告部分）を備えている。この広告エリアに、図８に示すような地図、イラスト、広告文、写真等が記載されるようになっている。これらの地図、イラスト、広告文、写真等は、ダイレクトメール１００を受け取った者（特定の顧客等）が商品の購入等を決定する上で、重要な役割を担っている。また、ダイレクトメール１００を送る側の企業にとっても、自社の商品や役務をアピールする上で重要な役割を担っている。
【０００６】
このような形態を有するダイレクトメール１００を特定の顧客等へ郵送する際には、一般的には、まず、図９に示すように、ダイレクトメール１００を、封筒１０５に収納可能な大きさに折りたたむ。次に、封筒１０５に、折りたたんだダイレクトメール１００を収容する。最後に、顧客の宛名を記載した宛名シール１０３を封筒１０５に貼り付け、必要であれば封筒１０５に切手を貼り付けた後に郵送する。
【０００７】
しかしながら、上述した従来のダイレクトメールには、下記（ａ）及び（ｂ）に述べるような問題がある。
（ａ）ダイレクトメールを郵送する際には、予め、当該ダイレクトメールを所定サイズの封筒に収納しておく必要がある。ところが、通常、郵送すべきダイレクトメールの数は膨大であるため、ダイレクトメールの封筒への収納作業は、極めて煩雑である。
（ｂ）ダイレクトメールを郵送する側（企業等）にとっては、低コスト化の観点から、可能な限りダイレクトメールの郵送に要する費用を節減する必要がある。ところが、膨大な数のダイレクトメールを特定の顧客等へ向けて郵送するとなると、ダイレクトメールを収納するための封筒に要する費用が、郵送する側の企業等にとって大きな負担となる。
（第２の背景）
近年おける急激なデジタル技術の高度化、並びに精密機器の小型化により、高解像度のデジタルカメラ機能を備えた携帯電話が、広く普及するに至っている。また、このようなデジタルカメラ機能を備えた携帯電話の急激な普及に伴い「デジタル万引き（ケイタイ万引き）」と称される行為が社会問題として取り上げられ始めている。
【０００８】
「デジタル万引き」とは、一般的には、デジタルカメラ機能を備えた携帯電話を使って、書籍、雑誌、週刊誌等の書籍を購入せずに、書店の店頭で書籍の記事や地図等を撮影する行為をいう（たとえば図１０に示すような行為）。このような「デジタル万引き」行為は、書籍そのものを盗む行為に該当しないものの、書店や出版社等の書籍関係者からは、「立ち読みの域を越えた悪質な行為である」として「デジタル万引き」を問題視する声が相次いでいる。
【０００９】
このような行為は、実質的には、書籍を購入することなく店頭でコピーするような行為であると考えられるが、現時点においては「デジタル万引き」に関する行為自体を明確に規制する法律が存在しない。そのため、現時点においては、書店における客のマナーに訴えることによって、「デジタル万引き」を防止することが試みられている。しかしながら、客のマナーに訴えるという現時点における手段によっては、「デジタル万引き」行為を有効に防止，抑制するには至っていない。
【発明の開示】
【発明が解決しようとする課題】
【００１０】
上述した第１の背景に鑑み、本発明の目的は、ダイレクトメールや書籍等の印刷物を送付する者が、封筒に入れるという煩雑な作業を要することなく、当該印刷物をそのままの形態で、特定の宛先へ発送することを可能にする印刷物を提供することにある。
【００１１】
また、上述した第２の背景に鑑み、本発明の他の目的は、書店の店頭等において行われている所謂「デジタル万引き（ケイタイ万引き）」行為を有効に防止することを可能にする印刷物を提供することにある。
【課題を解決するための手段】
【００１２】
このような目的は、下記（１）〜（１１）の本発明により達成される。
（１）イラスト及び／又は文章が記載されている印刷物であって、
少なくとも、当該印刷物のオモテ表紙をなす表紙と、当該印刷物のウラ表紙をなす裏紙と、を含み、
前記表紙と前記裏紙とを重ね合わせた状態で、前記表紙の縁部が、所定の接着手段により、前記裏紙の縁部に接着されていることを特徴とする印刷物。
（２）イラスト及び／又は文章が記載されている見開き式の印刷物であって、
少なくとも、当該印刷物のオモテ表紙をなす表紙と、当該印刷物のウラ表紙をなす裏紙と、を含み、
前記裏紙が、見開き可能に、前記表紙に対して連なって構成されており、
前記表紙と前記裏紙とを重ね合わせた状態で、前記表紙の縁部が、所定の接着手段により、前記裏紙の縁部に接着されていることを特徴とする印刷物。
（３）イラスト及び／又は文章が記載されている見開き式の冊子状の印刷物であって、
当該印刷物のオモテ表紙をなす表紙と、
当該印刷物のウラ表紙をなす裏紙と、
当該表紙と当該裏紙との間に設けられ、前記イラスト及び／又は文章が記載された少なくとも１枚の中間紙と、を含み、
前記表紙、前記裏紙、及び前記中間紙は、見開き式の冊子状の印刷物を成すように、見開き可能に連なって構成されており、
前記中間紙を介して前記表紙と前記裏紙とを重ねた状態で、前記表紙の縁部が、所定の接着手段により、前記裏紙の縁部に接着されていることを特徴とする印刷物。
（４）前記表紙と前記裏紙が、イラスト及び／又は文章が記載された単体の紙から構成されており、
前記表紙と前記裏紙が、当該表紙と裏紙との境目を成す折り目を介して、連なって構成されていることを特徴とする上記（２）又は（３）に記載の印刷物。
（５）前記表紙の縁部には、当該縁部に沿って、ミシン目が形成されており、
前記表紙の縁部に形成された前記ミシン目より外側の部分は、前記接着手段が付与される糊代を含んでおり、
前記裏紙の縁部には、当該縁部に沿って、ミシン目が形成されており、
前記裏紙の縁部に形成された前記ミシン目より外側の部分は、前記接着手段が付与される糊代を含んでおり、
前記裏紙に形成されたミシン目は、前記表紙を前記裏紙に重ねた状態において、前記表紙のミシン目が並ぶ線上にほぼ重なるようになっており、
前記ミシン目より外側の部分を当該ミシン目に沿って切り取ることによって、接着されている糊代を当該印刷物から取り去ることが可能であり、
当該糊代を取り去ることによって、当該印刷物に記載されたイラスト及び／又は文章のすべてを見ることが可能になっていることを特徴とする上記（１）乃至（４）のいずれかに記載の印刷物。
（６）前記接着手段が、前記表紙の縁部を前記裏紙の縁部から損傷させることなく剥がすことを可能にする、比較的接着性の弱い接着剤から構成されていることを特徴とする上記（１）乃至（４）のいずれかに記載の印刷物。
（７）前記印刷物が、書籍であることを特徴とする上記（１）乃至（６）のいずれかに記載の印刷物。
（８）前記印刷物が、ダイレクトメールであることを特徴とする上記（１）乃至（６）のいずれかに記載の印刷物。
（９）前記ダイレクトメールが、当該ダイレクトメールの発送直前に発送元側にて形成されていることを特徴とする上記（８）に記載の印刷物。
（１０）前記印刷物に記載されたイラスト及び／又は文章が、特定の個人又は法人に関する情報を含んでおり、
当該情報が公にされた場合に当該個人又は法人の権利・利益を害するおそれがあるために、当該印刷物が、秘密性を要するものであることを特徴とする上記（１）乃至（６）のいずれかに記載の印刷物。
（１１）前記印刷物の表紙は、封筒の表面側を兼ねて構成されており、
前記印刷物の裏紙は、封筒の裏面側を兼ねて構成されており、
前記印刷物の表紙と裏紙は、封筒を構成するように、互いに接着されており、
前記印刷物は、封筒を用いることなく、その形態のままで、郵送または民間の信書便事業者を利用した送付に供することができるように構成されていることを特徴とする上記（１）乃至（１０）のいずれかに記載の印刷物。
【発明の効果】
【００１３】
本発明の印刷物によれば、表紙と裏紙とを重ね合わせた状態で、表紙の縁部が、所定の接着手段により、裏紙の縁部に接着されている。したがって、少なくとも、表紙と裏紙とが向かい合う部分に記載されたイラストや文章については、接着してある表紙を裏紙から引き剥がさない限り見ることができない。したがって、このように構成された印刷物によれば、書店等における所謂「デジタル万引き」行為を有効に防止することができる。
【００１４】
また、本発明によれば、印刷物の表紙と裏紙は、封筒を構成するように、互いに接着されている。その結果、この印刷物は、封筒を用いることなく、その形態のままで、郵送（又は民間の信書便事業者を利用した送付）に供することができるようになっている。したがって、本発明によれば、従来要していた封筒への封入作業を経ることなく、ダイレクトメール等の印刷物を送付することが可能になる。その結果、ダイレクトメール等の印刷物を送付する企業等の側にとっては、封筒への収納作業が不要になるので、ダイレクトメールを送付する際における作業効率を改善することができる。また、従来のダイレクトメールを送付するために必要であった封筒が不要になるので、ダイレクトメールを送付するために要するコストを、従来と比較して削減することが可能になる。
【発明を実施するための最良の形態】
【００１５】
以下、添付図面に基づいて、本発明に係る印刷物の第１実施形態、第２実施形態、および第３実施形態について詳細に説明する。
（第１実施形態）
まず最初に、印刷物の例としてダイレクトメール（ＤＭ）を挙げ、図１乃至図３に基づいて、本発明の第１実施形態について説明する。図１は、本発明の印刷物の第１実施形態（ダイレクトメール）を示す斜視図である。図２は、図１に示すダイレクトメールを展開した状態を示す正面図である。図３は、図１に示すダイレクトメールの使用態様を示す斜視図である。この図３において、図３（Ａ）は、図１に示すダイレクトメールの糊代を含む縁部分を、ミシン目に沿って切り取っている様子を示す斜視図である。また、図３（Ｂ）は、図３（Ａ）に示すようにして縁部分を切り取った後に、当該ダイレクトメールを展開する様子を示す斜視図である。
【００１６】
図１及び図２に示すように、ダイレクトメール（印刷物）１ａは、見開き式の印刷物（すなわち、見開き広告）を成すように構成されており、その印刷面には、広告内容を示すイラストや文章等の種々の情報（図２参照）が記載されるようになっている。
【００１７】
このダイレクトメール１ａは、広告用のイラストや文章等が記載された単体の紙（すなわち、一枚の紙）から構成されており、オモテ表紙をなす表紙１１と、ウラ表紙をなす裏紙１３と、を含んでいる。図２に示すように、表紙１１と裏紙１３は、表紙１１と裏紙１３との境目を成す折り目１４を介して連なって構成されているとともに、見開き操作（開閉）ができるように形成されている。なお、図２に示す実施形態においては、表紙１１と裏紙１３とが向き合う面にのみイラストや文言が記載されているが、本発明において、イラストや文言は、ダイレクトメール（印刷物）の一部のみならず全面に記載することも可能であることに留意されたい。
【００１８】
図２に示すように、表紙１１の縁部近傍には、ミシン目（点線状の孔）１５ａが、当該縁部に沿って逆コの字を描くように形成されている。このミシン目１５ａより外側の部分は、接着剤が塗布（又は付与）されるようになっている糊代１７ａ（図２において右上ハッチングで示す）を構成している。同様に、裏紙１３の縁部近傍にも、当該縁部に沿って、ミシン目１５ｂが形成されている。また、裏紙１３の縁部に形成されたミシン目１５ｂより外側の部分は、接着剤が塗布（又は付与）されるようになっている糊代１７ｂ（図２において左上ハッチングで示す）を構成している。なお、本明細書において、表紙１１および裏紙１３の「縁部」には、表紙１１および裏紙１３の綴じ代に相当する部分（図２において折り目１４に沿った部分）は含まれないことに留意されたい。
【００１９】
上述した構成を有するダイレクトメール１ａは、当該ダイレクトメールの発送直前に発送元側にて形成（用意）されるようになっている。たとえば、このダイレクトメール１ａは、発送元となる企業等の側において、以下の手順を経て用意されるようになっている。
【００２０】
すなわち、まず、表紙１１及び裏紙１３の糊代１７ａ，１７ｂのうちの少なくとも一方に、糊等の所定の接着剤（接着手段）を塗布する。次に、折り目１４を境にして、ダイレクトメール１ａを二つ折りにする。その際、二つ折りにした状態（すなわち、表紙１１を裏紙１３の上に重ね合わせた状態）において、表紙１１に形成されたミシン目１５ａと、裏紙１３に形成されたミシン目１５ｂとが、ほぼ重なり合うようにする。これにより、表紙１１の縁部（糊代１７ａ）が、塗布された接着剤により、裏紙１３の縁部（糊代１７ｂ）に接着される。なお、表紙１１の縁部と裏紙１３の縁部とを接着するための接着手段は、必ずしも、一般的な接着剤に限定されず、たとえば両面テープ等から構成されてもよい。
【００２１】
次に、必要に応じて、図１に示すように特定の顧客等の宛名が記載された宛名シール１９を、ダイレクトメール１ａの外観の見易い位置に貼り付ける。なお、宛名シール１９を貼り付ける代わりに、ダイレクトメール１ａのための印刷工程において、顧客等の宛名をダイレクトメール１ａに直接的に印刷することも可能である。
【００２２】
このような手順を経て用意されたダイレクトメール１ａにおいて、当該ダイレクトメールの表紙１１は、一般的な封筒の表面側を兼ねるように構成されている。また、裏紙１３は、一般的な封筒の裏面側を兼ねるように構成されている。すなわち、ダイレクトメール１ａの表紙１１と裏紙１３は、封をしてある封筒を構成するように、接着剤によって互いに接着されている（この状態を図１に示す）。その結果、本実施形態に係るダイレクトメール１ａは、従来のように封筒に収容することなく、その形態のままで、郵送（または民間の信書便事業者を利用した送付）に供することが可能である。ここで、「郵送」には、国内専用の郵便制度を利用した送達のみならず、国際郵便制度を利用した送達も含まれることに留意されたい。また、「民間の信書便事業者を利用した送付」には、車両、バイク、自転車等を利用する民間の宅配業者による送付が含まれることに留意されたい。
【００２３】
ダイレクトメール１ａを受領した者（通常は、特定の顧客）が、当該ダイレクトメールに記載されているイラストや文章を見る際には、まず、図３（Ａ）に示すように、接着してある糊代１７ａ，１７ｂを含む縁部を、ミシン目１５ａ，１５ｂに沿って切り取る（切り取り方向を矢印Ｖで示す）。そして、切り取った縁部をダイレクトメール１ａから完全に取り去ることによって、ダイレクトメール１ａが見開き可能な状態に至る。これにより、ダイレクトメール１ａを受領した者は、当該ダイレクトメール１ａに記載されたイラストや文章のすべてを見ることが可能になる。
【００２４】
上述した第１実施形態に係るダイレクトメール（印刷物）１ａによれば、表紙１１と裏紙１３は、あたかも封筒を構成するように、互いに接着されている。その結果、このダイレクトメールは、封筒を用いることなく、その形態のままで、郵送（又は民間の信書便事業者を利用した送付）に供することができるようになっている。したがって、本発明によれば、従来要していた封筒への封入作業を経ることなく、ダイレクトメール等の印刷物をそのまま送付することが可能になる。その結果、ダイレクトメールを送付する企業等の側にとっては、ダイレクトメールを送付する際における作業効率を改善することが可能になる。
【００２５】
また、従来のダイレクトメールを送付するために必要であった封筒が不要になるので、ダイレクトメールを送付するために要するコストを、従来と比較して削減することが可能になる。さらに、封筒が不要になる結果、紙資源を節約することが可能になる。
（第１実施形態の変形例）
上述した第１実施形態に係るダイレクトメールにおいて、ミシン目１５ａ，１５ｂを形成する変わりに、接着手段として、比較的接着性の弱い接着剤を用いることも可能である。このような接着剤としては、たとえば、市販されている代表的な付箋に利用されている比較的接着性の弱い接着剤が挙げられる。
【００２６】
このような接着剤を用いることにより、ダイレクトメール１ａを受け取った者は、表紙１１の縁部を、裏紙１３の縁部から損傷させることなく剥がすことが可能になる。その結果、ミシン目が形成されていない場合であっても、ダイレクトメールを損傷させることなく、簡単かつ綺麗に裏紙１３から表紙１１を剥がすことが可能になる。
（第２実施形態）
次に、図４に基づいて、本発明の印刷物の第２実施形態について説明する。図４は、本発明の印刷物の第２実施形態（ダイレクトメール）を示す斜視図である。なお、第２実施形態に係る印刷物はダイレクトメールとして構成されており、以下の（１）〜（４）に掲げる点を除いて、上記第１実施形態に係るダイレクトメール１ａと同様の構成を有している。
（１）第２実施形態に係るダイレクトメール１ｂは、別体の表紙１１ｂと裏紙１３ｂとから構成されている（すなわち二枚の紙から構成されている）。
（２）表紙１１ｂと裏紙１３ｂとが、綴じ代側に設けられたホッチキスの針２１によって、見開き可能に連なって構成されている。
（３）表紙１１ｂにおいて、ミシン目１５ａおよび糊代１７ａは、表紙１１ｂの縁部の一部にのみ設けられている。
（４）裏紙１３ｂにおいて、ミシン目１５ｂおよび糊代１７ｂは、裏紙１３ｂの縁部の一部にのみ設けられている。
【００２７】
第２実施形態に係るダイレクトメール１ｂによれば、ミシン目１５ａ，１５ｂおよび糊代１７ａ，１７ｂはダイレクトメール１ｂの縁部の一部分にのみ設けられており、当該ダイレクトメールの上方および下方は、図４に示すように開口している。すなわち、このダイレクトメール１ｂは、第１実施形態の場合と異なり、四方の全てにおいて封じられているわけではない。しかしながら、綴じ代を成す側は、ホッチキスの針２１によって綴じられているとともに、その反対の側（ミシン目１５ａ，１５ｂおよび糊代１７ａ，１７ｂが設けられた側）の縁部は、接着剤によって接着されるようになっている。したがって、第２実施形態に係るダイレクトメール１ｂも、第１実施形態の場合と同様に、その形態のままで、郵送（または民間の信書便事業者を利用した送付）に供することが可能である。
（第３実施形態）
次に、印刷物の例として書籍（カタログ、雑誌、週刊誌、並びに冊子状のダイレクトメール等を含む）を挙げ、図５及び図７に基づいて、本発明の第３実施形態について説明する。図５は、本発明の印刷物の第３実施形態（書籍）を示す斜視図である。図６は、図５に示す書籍を展開した状態を示す斜視図である。図７は、図５に示す書籍の使用態様を示す斜視図である。この図７において、図７（Ａ）は、図５に示す書籍の糊代を含む縁部を、ミシン目に沿って切り取っている様子を示す斜視図である。また、図７（Ｂ）は、図７（Ａ）に示すようにして書籍から糊代を含む縁部を切り取った後に、当該書籍を展開する様子を示す斜視図である。
【００２８】
図５および図６に示すように、書籍（印刷物）１ｃは、オモテ表紙をなす表紙１１と、ウラ表紙をなす裏紙１３と、当該表紙１１と裏紙１３との間に設けられた複数の中間紙１２と、を含んでいる（図５において、中間紙１２を一点鎖線で示す）。これらの表紙１１、裏紙１３、及び中間紙１２は、見開き式の冊子状印刷物を成すように、綴じ代の部分において一体に連結されている。表紙１１，裏紙１３，及び中間紙１２のそれぞれには、当該書籍の内容を構成するイラストや文章（記事）が記載されている。
【００２９】
表紙１１と裏紙１３は、単体の紙（すなわち一枚の紙）から構成されており、第１実施形態の場合と同様に、表紙１１と裏紙１３との境目を成す折り目１４を介して連なって構成されている（図６参照）。また、表紙１１および裏紙１３は、それぞれ、中間紙１２よりも、やや大きな面積を有している。そのため、中間紙１２を挟んで表紙１１および裏紙１３を重ねたときには、表紙１１の縁部および裏紙１３の縁部（糊代）が、中間紙１２の外周から、はみ出るようになっている（図５参照）。
【００３０】
書籍１ｃの表紙１１の縁部近傍には、第１実施形態の場合と同様に、当該縁部に沿ってミシン目（点線状の孔）１５ａが形成されている。このミシン目１５ａより外側の部分は、接着剤が塗布（又は付与）されるようになっている糊代１７ａ（図６において右上ハッチングで示す）を含んでいる。同様に、裏紙１３の縁部近傍にも、当該縁部に沿って、ミシン目１５ｂが形成されている。また、裏紙１３の縁部に形成されたミシン目１５ｂより外側の部分は、接着剤が塗布（又は付与）されるようになっている糊代１７ｂ（図６において左上ハッチングで示す）を含んでいる。
【００３１】
上述した構成を有する書籍１ｃを製造（又は販売）する側においては、当該書籍を、以下の手順を経て用意する。すなわち、まず最初に、見開き可能な冊子状に構成された、表紙１１と裏紙１３と中間紙１２とを用意する。次に、表紙１１および裏紙１３の糊代１７ａ，１７ｂのうちの少なくとも一方に、所定の接着剤を塗布（又は付与）する。次に、中間紙１２を挟んで表紙１１と裏紙１３とを重ねた状態（すなわち、冊子１ｃを閉じた状態）で、表紙１１の縁部を、所定の接着剤により、裏紙１３の縁部に対して接着する。その際、表紙１１に形成されたミシン目１５ａと、裏紙１３に形成されたミシン目１５ｂとがほぼ重なり合うようにする。このような手順を経て、表紙１１の縁部（糊代１７ａ）が、塗布された接着剤により、裏紙１３の縁部（糊代１７ｂ）に接着される。この状態の書籍１ｃを図５に示す。
【００３２】
一方、書籍１ｃを購入した者が、当該書籍に記載されているイラストや文章を見る際には、まず、図７（Ａ）に示すように、接着してある糊代１７ａ，１７ｂを含む縁部を、ミシン目１５に沿って切り取る（切り取り方向を矢印Ｘで示す）。そして、糊代１７ａ，１７ｂを含んだ縁部を書籍１ｃから完全に取り去ることによって、書籍１ｃを見開き可能な状態にする。これにより、購入者は、書籍の購入後において当該書籍１ｃに記載されたイラストや文章のすべてを見ることが可能になる。
【００３３】
なお、上述した第３実施形態に係る書籍１ｃに対しては、図１に示すような宛名シール１９を貼り付けることも可能である。このような宛名シール１９を貼り付けた場合には、書籍１ｃを、封筒に入れることなく、その形態のままで、郵送（または民間の信書便事業者を利用した送付）に供することが可能になる。
【００３４】
上述した第３実施形態に係る書籍（印刷物）１ｃによれば、表紙１１と裏紙１３とを重ね合わせた状態で、表紙１１の縁部（糊代１７ａ）が、所定の接着剤により、裏紙１３の縁部（糊代１７ｂ）に接着されている。したがって、中間紙１２に記載された記事や、表紙１１と裏紙１３とが向かい合う部分に記載された記事については、接着してある表紙１１を裏紙１３から引き剥がさない限り見ることができない。したがって、このように構成された書籍によれば、従来技術との関係で説明した書店等における所謂「デジタル万引き」行為を有効に防止することができる。
【００３５】
また、上述した第３実施形態に係る書籍１ｃによれば、当該書籍にはミシン目１５ａ，１５ｂが形成してあり、糊代１７ａ，１７ｂが当該ミシン目の外側に形成されるようになっている。このようなミシン目を形成することにより、書籍１ｃの購入後において、イラストや記事が記載された部分を損傷させることなく、当該糊代を含む部分を書籍１ｃから円滑に取り去ることが可能になる。
【００３６】
また、上述した第３実施形態に係る書籍１ｃによれば、表紙１１と裏紙１３とが、閉鎖された袋を成すように接着されているので、たとえば、書籍１ｃに添付された各種の付録やおまけ等が、当該書籍から抜け落ちることを防止することが可能になる。また、同様の理由により、書籍１ｃに添付された付録等が、万引きされることを防止することが可能になる。
【００３７】
以上、第１乃至第３実施形態との関係で、本発明に関わる印刷物の具体的な構成について説明した。なお、上述した実施形態は、単なる例であって、本発明を上述した実施形態に限定する趣旨はないことに留意されたい。
【００３８】
すなわち、本発明の印刷物は、ダイレクトメールや書籍以外の態様で実施することも可能である。たとえば、本発明の印刷物は、秘密性を要する印刷物であってもよい。ここで、「秘密性を要する印刷物」とは、具体的には、特定の個人又は法人に関する情報を含んでいるとともに、当該情報が公にされた場合に当該個人又は法人の権利・利益を害するおそれがある印刷物をいう。このような印刷物の例としては、受験指導機関による添削結果を含んだ印刷物、資格試験における試験結果を含む印刷物、教育機関における受験結果を含む印刷物、公共料金等の請求金額が記載された印刷物等が挙げられる。
【産業上の利用可能性】
【００３９】
本発明は、ダイレクトメールや書籍等の印刷物を送付する者が、封筒に入れるという煩雑な作業を要することなく、当該印刷物をそのままの形態で、特定の宛先へ発送することを可能にする印刷物を提供するのに好適に用いられる。
【００４０】
また、本発明は、書店の店頭等において行われている所謂「デジタル万引き」行為を有効に防止することを可能にする印刷物を提供するのに好適に用いられる。
【図面の簡単な説明】
【００４１】
【図１】本発明の印刷物の第１実施形態（ダイレクトメール）を示す斜視図である。
【図２】図１に示すダイレクトメールを展開した状態を示す正面図である。
【図３】図１に示すダイレクトメールの使用態様を示す斜視図であって、図３（Ａ）は、図１に示すダイレクトメールの糊代を含む縁部分を、ミシン目に沿って切り取っている様子を示しており、また、図３（Ｂ）は、図３（Ａ）に示すようにして縁部分を切り取った後に、当該ダイレクトメールを展開する様子を示す斜視図である。
【図４】本発明の印刷物の第２実施形態（ダイレクトメール）を示す斜視図である。
【図５】本発明の印刷物の第３実施形態（書籍）を示す斜視図である。
【図６】図５に示す書籍を展開した状態を示す斜視図である。
【図７】図５に示す書籍の使用態様を示す斜視図であって、図７（Ａ）は、図５に示す書籍の糊代を含む縁部を、ミシン目に沿って切り取っている様子を示す斜視図であり、また、図７（Ｂ）は、図７（Ａ）に示すようにして書籍から糊代を含む縁部を切り取った後に、当該書籍を展開する様子を示す斜視図である。
【図８】広告，宣伝等が記載された一般的なダイレクトメール（従来のダイレクトメール）を展開した状態で示す正面図である。
【図９】図８に示すダイレクトメールを実際に郵送する際の態様を示す斜視図である。
【図１０】書店の店頭等において行われている所謂「デジタル万引き」行為の様子を示す図である。
【符号の説明】
【００４２】
１ａ            ダイレクトメール（印刷物の第１実施形態）
１ｂ            ダイレクトメール（印刷物の第２実施形態）
１ｃ            書籍（印刷物の第３実施形態）
１１            表紙（表表紙）
１１ｂ          表紙（表表紙）
１２            中間紙
１３            裏紙（裏表紙）
１３ｂ          裏紙（裏表紙）
１４            折り目
１５ａ          ミシン目（表紙側のミシン目）
１５ｂ          ミシン目（裏紙側のミシン目）
１７ａ          糊代（表紙側の糊代）
１７ｂ          糊代（裏紙側の糊代）
１９            宛名シール
２１            ホッチキスの針
１００          従来のダイレクトメール
１０３          宛名シール
１０５          封筒
【図１】
2005066982.tif 000003
【図２】
2005066982.tif 000004
【図３】
2005066982.tif 000005
【図４】
2005066982.tif 000006
【図５】
2005066982.tif 000007
【図６】
2005066982.tif 000008
【図７】
2005066982.tif 000009
【図８】
2005066982.tif 000010
【図９】
2005066982.tif 000011
【図１０】
2005066982.tif 000012